(57)【特許請求の範囲】
【請求項１】
移動用キャスタを装着した脚部に立設した基部支柱と、基部支柱に高さ調節可能に装着してなる支持支柱とを有し、支持支柱頂部に設けた、点滴瓶等を吊下げるための吊し具を備えたイルリガートルスタンドにおいて、前記基部支柱の上端側に装着した第１のストッパ部材と、この第１ストッパ部材に上から回動可能に装着してなる第２のストッパ部材とを備え、前記第１ストッパ部材は、前記支持支柱を昇降可能に挿通させると共に、前記基部支柱の上端側を内側に装入して保持するようにした基部支柱装着部と支持支柱挿通部とによって構成して、前記支持支柱挿通部に、周周りに等間隔ごとに、且つ軸方向に形成した複数のスリットを設けて、径方向に撓み変形可能とすると共に、外周部を、周方向に一つのスリットを挟んで互い違いに肉厚が厚くなるように構成し、前記第２ストッパ部材は、前記第１ストッパ部材における支持支柱挿通部の外周部に対応して当接するように、内側に向かって徐々に突出する押圧突部を突設し、前記第２ストッパ部材を回動操作して、前記押圧突部を前記第１ストッパにおける支持支柱挿通部の外周部の肉厚部位にもたらすことで、前記支持支柱挿通部を径方向に撓み変形させ、前記支持支柱を押圧保持することで、支持支柱頂部の吊し具の高さを調節する構成としたことを特徴とするイルリガートルスタンドの昇降固定装置。
【請求項２】
前記第１ストッパ部材は、前記基部支柱装着部の内側に基部支柱の上端を差し入れた際に基部支柱の上端を保持すると共に、前記支持支柱を昇降可能にガイドする案内保持部を突設し、前記第１ストッパ部材の基部支柱装着部と支持支柱挿通部との外周部境目に段差部を設ける一方、前記第２ストッパ部材の内周部の上半部に前記段差部に当接して、前記第１ストッパに対して定位置に第２ストッパ部材を回動可能に保持するための保持リブを突設すると共に、前記内周部の上半部上端側に前記押圧突部を設けたことを特徴とする請求項１記載のイルリガートルスタンドの昇降固定装置。
【発明の詳細な説明】
【０００１】
【発明の属する技術分野】
本発明は、大小径のパイプ材などを伸縮調節して固定する際、がたつきがなく、固定した際も締付け箇所が変形することのない、イルリガートルスタンドの昇降固定装置に関するものである。
【０００２】
【従来の技術】
従来、径の大きいパイプ材１に径の小さいパイプ材２を昇降可能に差し込んで、任意の位置に径の小さいパイプ材２を固定する手段として、径の大きいパイプ材１側から、握りを有するねじ部材、すなわちノブボルト３を内側の径の小さいパイプ材２に向かってねじ込んで締め付け固定する構造のものがある（図参照）。また、径の小さいパイプ材２側に、専用取付穴（図示せず）を設けて、ノブボルト３の軸部を嵌入して固定するようにしたものもある。
【０００３】
【発明が解決しようとする課題】
しかしながら、前者のノブボルト３による締め込み方式では、ノブボルト３の軸部が当たる径の小さいパイプ材２が局所的に変形したり、傷が付いたりする。
また、後者の専用取付穴に嵌入する方式のものでは、径の小さいパイプ材２側のがたつきが残るという問題がある。
本発明は、以上のような課題を克服するために提案されたものであって、大小径のパイプ材などを伸縮調節して固定する際、がたつきがなく、固定した際も締付け箇所が変形することのない、イルリガートルスタンドの昇降固定装置を提供することを目的とする。
【０００４】
【課題を解決するための手段】
前記した課題を解決するために、本発明では、請求項１において、移動用キャスタを装着した脚部に立設した基部支柱と、基部支柱に高さ調節可能に装着してなる支持支柱とを有し、支持支柱頂部に設けた、点滴瓶等を吊下げるための吊し具を備えたイルリガートルスタンドにおいて、前記基部支柱の上端側に装着した第１のストッパ部材と、この第１ストッパ部材に上から回動可能に装着してなる第２のストッパ部材とを備え、前記第１ストッパ部材は、前記支持支柱を昇降可能に挿通させると共に、前記基部支柱の上端側を内側に装入して保持するようにした基部支柱装着部と支持支柱挿通部とによって構成して、前記支持支柱挿通部に、周周りに等間隔ごとに、且つ軸方向に形成した複数のスリットを設けて、径方向に撓み変形可能とすると共に、外周部を、周方向に一つのスリットを挟んで互い違いに肉厚が厚くなるように構成し、前記第２ストッパ部材は、前記第１ストッパ部材における支持支柱挿通部の外周部に対応して当接するように、内側に向かって徐々に突出する押圧突部を突設し、前記第２ストッパ部材を回動操作して、前記押圧突部を前記第１ストッパにおける支持支柱挿通部の外周部の肉厚部位にもたらすことで、前記支持支柱挿通部を径方向に撓み変形させ、前記支持支柱を押圧保持することで、支持支柱頂部の吊し具の高さを調節する構成としたイルリガートルスタンドの昇降固定装置を提案する。
また本発明では、請求項２において、前記第１ストッパ部材は、前記基部支柱装着部の内側に基部支柱の上端を差し入れた際に基部支柱の上端を保持すると共に、前記支持支柱を昇降可能にガイドする案内保持部を突設し、前記第１ストッパ部材の基部支柱装着部と支持支柱挿通部との外周部境目に段差部を設ける一方、前記第２ストッパ部材の内周部の上半部に前記段差部に当接して、前記第１ストッパに対して定位置に第２ストッパ部材を回動可能に保持するための保持リブを突設すると共に、前記内周部の上半部上端側に前記押圧突部を設けたイルリガートルスタンドの昇降固定装置を提案する。
【０００５】
請求項１によれば、第２ストッパ部材を回動操作することで、第２ストッパ部材の押圧突部を、第１ストッパ部材の支持支柱挿通部の外周部の肉厚部位にもたらすことで、前記支持支柱挿通部を径方向に撓み変形させ、支持支柱を押圧保持することができる。
【０００６】
請求項２によれば、支持支柱を、第１ストッパ部材の支持支柱挿通部側を通過し、基部支柱装着部側の案内保持部内側に沿って摺動して出し入れすることができ、第２ストッパ部材は、第１ストッパ部材の基部支柱装着部と支持支柱挿通部との外周部境目に段差部において、保持リブを当接した状態で定位置に、回動操作可能に保持することができる。
【０００７】
【発明の実施の態様】
次に、本発明にかかるイルリガートルスタンドの昇降固定装置について、一つの実施の形態を示し、添付の図面に基づいて以下説明する。
図１に示すイルリガートルスタンド５は、支柱部６の固定調節手段として本発明にかかる昇降固定装置４を備えたものである。
すなわち前記イルリガートルスタンド５は、移動用キャスタ７を装着した脚部８に立設した支柱部６を構成する基部支柱６ａ、基部支柱６ａに前記昇降固定装置４により、高さ調節可能に装着してなる支持支柱６ｂを有し、支持支柱６ｂ頂部に設けた、点滴瓶等を吊下げるための吊し具９を備えている。
【０００８】
そこで前記昇降固定装置４について説明する。すなわち前記昇降固定装置４は、基部支柱６ａに基部支柱６ａに比較して径の小さい支持支柱６ｂを昇降可能に差し込んで、任意の位置に前記支持支柱６ｂを固定するようにしたものである。
前記昇降固定装置４は、前記基部支柱６ａの上端側に装着した第１のストッパ部材１０と、この第１ストッパ部材１０に上から支持支柱６ｂと共に回動可能に装着してなる第２のストッパ部材１１とを備え、前記第１ストッパ部材１０の装着部外周部（後述）を肉厚が周廻りに徐々に厚くなったり薄くなったりするように加工して構成している。
前記第２ストッパ部材１１は、第１ストッパ部材１０の装着部外周部に対応して装着内周部（後述）を変形形成して、第２ストッパ部材１１を回動操作することで第１ストッパ部材１０の装着部を介して支持支柱６ｂを押圧したり、緩めたりして昇降可能に保持する構成としている。
【０００９】
前記第１ストッパ部材１０は、合成樹脂によって成形した結合パイプ状のもので、前記基部支柱６ａの上端側を内側に装入すると共に保持部材によって保持するようにした基部支柱装着部１０ａと、前記支持支柱６ｂを外形に対応して支持支柱６ｂを挿通させるようにした支持支柱挿通部１０ｂとによって構成している。
前記基部支柱装着部１０ａには、内側に基部支柱６ａの上端を差し入れた際に基部支柱６ａの上端を抜けないように保持すると共に、前記支持支柱６ｂをガイドする案内保持部１２を突設している。
また、前記支持支柱挿通部１０ｂは、四方に鉛直方向にスリットＳを入れ、径方向に撓み変形可能としている。そしてこの支持支柱挿通部１０ｂの外周部は、周方向に一つのスリットＳを挟んで１８０°の範囲で互い違いに肉厚が厚くなるように構成している。
【００１０】
一方、前記第２ストッパ部材１１は、前記第１ストッパ部材１０に上から嵌合可能な内径を有する回動操作パイプ上のものであり、外周部の上半部に回動操作しやすくするために膨出形状とすると共に、滑り止め用のリブＲを等間隔毎に設けている。
また、前記第２ストッパ部材１１は、内径が前記基部支柱装着部１０ａの外径にほぼ等しい寸法としている。
さらに、前記第２ストッパ部材１１内周部の上半部には、第１ストッパ部材１０における基部支柱装着部１０ａと支持支柱挿通部１０ｂとの外周部境目の段差部に当接して、定位置に第２ストッパ部材１１を保持するための保持リブＲｍを等間隔に突設している。
そして、前記第２ストッパ部材１１の上端の内周側には、第１ストッパ部材１０における支持支柱挿通部１０ｂ上端に対応して当接するように内側に向かって１８０度の範囲で徐々に突出する押圧突部１３を突設している。この場合、押圧突部１３は、支持支柱挿通部１０ｂの外周部の肉薄部位において当接するように設定している。
【００１１】
以上のような構成の昇降固定装置４を有するイルリガートルスタンド５において、看護婦が支持支柱６ｂ頂部の吊し具９に、点滴瓶、輸液バッグを吊す際、もし、支持支柱６ｂ頂部の吊し具９が高すぎる位置にあるときは、昇降固定装置４における第２ストッパ部材１１を緩め操作して、支持支柱６ｂを基部支柱６ａ内に退縮させる。
【００１２】
このとき、前記支持支柱６ｂは、第１ストッパ部材１０の支持支柱挿通部１０ｂ側を通過し、基部支柱装着部１０ａ側の案内保持部１２内側に沿って摺動していく。
【００１３】
そして、支持支柱６ｂを適当な高さに調節したら、今度は、前記第２ストッパ部材１１を緩め操作とは、逆方向に回すことで締付け操作をする。
すなわち、第２ストッパ部材１１を緩め操作とは、逆方向に回すことで、第２ストッパ部材１１の上端の内周側における押圧突部１３の突出部位が、第１ストッパ部材１０における支持支柱挿通部１０ｂの外周部の肉薄部位から肉厚部位にもたらされるので、支持支柱挿通部１０ｂが内側に押し込まれて変形し、支持支柱挿通部１０ｂの内周壁によって支持支柱６ｂを押圧し、支持支柱６ｂをその場でがたつかないように保持することができる。
【００１４】
このように、第１ストッパ部材１０における支持支柱挿通部１０ｂの内壁で支持支柱６ｂを押圧し、支持支柱６ｂをその場でがたつかないように保持するので、これまでのようにノブボルトによる締め込み方式のような、ノブボルトの軸部が当たる径の小さいパイプ材が局所的に変形したり、傷が付いたりするおそれはない。
また、専用取付穴に嵌入する方式のように、径の小さいパイプ材側のがたつきが残るという問題も解決することができる。
【００１５】
以上、本発明にかかるイルリガートルスタンドの昇降固定装置について、説明したが、勿論、昇降固定装置は、イルリガートルスタンド５に限らず、他の備品にも可能であり、汎用性の高いものとなる。
【００１６】
【発明の効果】
以上の通り、本発明によれば、大小径のパイプ材などを伸縮調節して固定する際、がたつきがなく、固定した際も締付け箇所が変形することのない、イルリガートルスタンドの昇降固定装置を提供することができ、これまでのようにノブボルトによる締め込み方式のような、ノブボルトの軸部が当たる径の小さいパイプ材が局所的に変形したり、傷が付いたりするおそれはない。
また、専用取付穴に嵌入する方式のように、径の小さいパイプ材側のがたつきが残るという問題も解決することができる。
【００１７】
【図面の簡単な説明】
【図１】本発明にかかる昇降固定装置を用いた、イルリガートルスタンドの外観説明図である。
【図２】図１に示すイルリガートルスタンドにおける昇降固定装置の拡大側面図である。
【図３】図１に示す昇降固定装置の断面説明図である。
【図４】第２ストッパ部材の平面図である。
【図５】図１に示す昇降固定装置の断面説明図である。
【図６】図１に示す昇降固定装置を操作して支持支柱を押圧した際の断面説明図である。
【図７】従来のパイプ材の固定手段の一例を示す、要部側面図である。
【符号の説明】
１                            径の大きいパイプ材
２                            径の小さいパイプ材
３                            ノブボルト
４                            昇降固定装置
５                            イルリガートルスタンド
６                            支柱部
６ａ                          基部支柱
６ｂ                          支持支柱
７                            移動用キャスタ
８                            脚部
９                            吊し具
１０                          第１ストッパ部材
１０ａ                        基部支柱装着部
１０ｂ                        支持支柱挿通部
１１                          第２ストッパ部材
１２                          案内保持部
１３                          押圧突出部
Ｓ                            スリット
Ｒ                            リブ
Ｒｍ                          保持リブ
【図１】
0003608734.tif 000002
【図２】
0003608734.tif 000003
【図３】
0003608734.tif 000004
【図４】
0003608734.tif 000005
【図５】
0003608734.tif 000006
【図６】
0003608734.tif 000007
【図７】
0003608734.tif 000008